(57)【特許請求の範囲】
【請求項１】
それぞれ断熱素材からなる底部と前後左右の側壁部とを有して上部に開口部が構成される箱体及び、該箱体と別体であり前記開口部を閉塞可能な断熱素材からなる蓋体とを備えた保冷箱であって、
前記開口部には、該開口部を構成する４辺に渡り形成される係合片が、その上面に面ファスナーを有して前記箱体の内側方向に延出して設けられ、
前記蓋体の下面に設けられた面ファスナーと、前記係合片の面ファスナーとの係脱により前記蓋体が前記箱体に対して着脱可能となっており、
前記箱体の少なくとも１辺に形成された係合片は、当該係合片の面ファスナーと前記蓋体の前記面ファスナーとが係合された状態で、前記箱体の外側に折り返すことができることを特徴とする保冷箱。
【請求項２】
前記係合片は、前記開口部を構成する４辺にそれぞれ分割されて設けられていることを特徴とする請求項１に記載の保冷箱。
【請求項３】
前記蓋体には対向する２辺に渡る折部が形成されていることを特徴とする請求項１または２に記載の保冷箱。
【請求項４】
前記蓋体は、前記折部を挟んで係合部と被係合部とが設けられており、前記蓋体を折り曲げた際に前記係合部と前記被係合部とが係合するようになっていることを特徴とする請求項３に記載の保冷箱。
【発明の詳細な説明】
【技術分野】
【０００１】
本発明は、保冷箱に関する。
【背景技術】
【０００２】
車等により要保冷の物品を搬送する際等においては、物品は断熱素材により形成される箱状の保冷箱に入れられて搬送される。従来の保冷箱としては、それぞれ断熱素材からなる底部と前後左右の側壁部とを有して上部に開口を有する箱体に形成されており、開口部は蓋体により閉塞可能となっている。この蓋体は、その矩形状四辺にそれぞれ面ファスナーを有する係合片を備え、これら係合片を箱体の前後左右の外側面上端に設けられた面ファスナーと係脱させることで蓋体が箱体に対して着脱可能となっている（例えば、特許文献１参照）。
【先行技術文献】
【特許文献】
【０００３】
【特許文献１】特許第３０６６３３４号公報（第２頁、第１図）
【発明の概要】
【発明が解決しようとする課題】
【０００４】
特許文献１の保冷箱にあっては、４辺のうちいずれからでも蓋体を開けることができるため、荷解きの際の作業性が高いものの、それぞれの係合片の面ファスナーが箱体の前後左右の外側面に被さって箱体側の面ファスナーと係合されているため、開口部の開放時には、複数の係合片を１つずつ取り外さねばならず、開放作業が煩雑であった。
【０００５】
本発明は、このような問題点に着目してなされたもので、迅速に開口部の開放作業を行うことのできる保冷箱を提供することを目的とする。
【課題を解決するための手段】
【０００６】
前記課題を解決するために、本発明の保冷箱は、
それぞれ断熱素材からなる底部と前後左右の側壁部とを有して上部に開口部が構成される箱体及び、該箱体と別体であり前記開口部を閉塞可能な断熱素材からなる蓋体とを備えた保冷箱であって、
前記開口部には、該開口部を構成する４辺に渡り形成される係合片が、その上面に面ファスナーを有して前記箱体の内側方向に延出して設けられ、
前記蓋体の下面に設けられた面ファスナーと、前記係合片の面ファスナーとの係脱により前記蓋体が前記箱体に対して着脱可能となっており、
前記箱体の少なくとも１辺に形成された係合片は、当該係合片の面ファスナーと前記蓋体の前記面ファスナーとが係合された状態で、前記箱体の外側に折り返すことができることを特徴としている。
この特徴によれば、箱体の内側方向に延出して設けられた係合片の面ファスナーが開口部を構成する４辺に渡り形成され、この係合片の面ファスナーに対して蓋体の下面に設けられた面ファスナーが係脱する構造となっていることから、いずれの方向からでも蓋体を開けることができるとともに、いずれの方向から蓋体を開ける場合でも、蓋体の一部箇所から複数の辺の面ファスナーが連続して離脱されることになり、迅速に開口部の開放作業を行うことができる。
【０００７】
前記係合片は、前記開口部を構成する４辺にそれぞれ分割されて設けられていることを特徴としている。
この特徴によれば、例えば分割された係合片を箱体の外側に折り返す等することで開口部を広げられ、荷の出し入れを容易に行うことができる。
【０００８】
前記蓋体には対向する２辺に渡る折部が形成されていることを特徴としている。
この特徴によれば、蓋体を折部で折り曲げることができるため、開口部を一部開放させた状態で保冷箱から物品の出し入れを行うことができる。
【０００９】
前記蓋体は、前記折部を挟んで係合部と被係合部とが設けられており、前記蓋体を折り曲げた際に前記係合部と前記被係合部とが係合するようになっていることを特徴としている。
この特徴によれば、係合部と被係合部とを係合させることで、蓋体を折り曲げて開口部を一部開放させた状態を維持でき、物品の出し入れを行い易い。
【図面の簡単な説明】
【００１０】
【図１】実施例における保冷箱が折りたたみコンテナ内に内装されている様子を示す斜視図である。
【図２】保冷箱を示す斜視図である。
【図３】箱体を示す斜視図である。
【図４】係合片が内側に折れ曲がった状態を示す箱体の斜視図である。
【図５】蓋体の下面を示す平面図である。
【図６】把持部を持って開口部を開放させる様子を示した図であり、（ａ）は、長辺側の面ファスナー同士が係脱し始めた状態を示す図であり、（ｂ）は、短辺側の面ファスナー同士が係脱し始めた状態を示す図である。
【図７】蓋体の角部から開口部を開放する様子を示す図である。
【図８】蓋体を折部に沿って折り曲げ、開口部を途中まで開放した状態を示す図である。
【図９】開口部の開放時に１辺の係合片に蓋体が係合され、保持されている様子を示す図である。
【図１０】（ａ）は、保冷箱を折り畳む前の状態を示す図であり、（ｂ）は、折り畳んだ状態を示す図である。
【発明を実施するための形態】
【００１１】
本発明に係る保冷箱を実施するための形態を実施例に基づいて以下に説明する。
【実施例】
【００１２】
実施例に係る保冷箱につき、図１から図１０を参照して説明する。以下、後述する箱体２及び蓋体３の短手方向を前後方向、長手方向を左右方向として説明する。
【００１３】
図１に示されるように、保冷箱１は、物品を搬送する際にトラックなどに積載される折りたたみコンテナＣ（以下オリコンＣという）内に内装されて用いられるものである。保冷箱１は、図２及び図３に示されるように、断熱素材からなる底部４と、底部４から立ち上がる前後の側壁部５，５及び左右の側壁部６，６とを有して上部に開口部７を構成する箱体２と、箱体２の開口部７を閉塞可能な同じく断熱素材からなる蓋体３とから主に構成されている。
【００１４】
底部４、前後の側壁部５，５及び左右の側壁部６，６は、それぞれ別体の断熱素材からなり、これらが布体８により縫い繋げられて箱体２が形成されており、布体８により立体枠が構成され、箱体２の形状を安定させている。
【００１５】
図３に示されるように、前後の側壁部５，５及び左右の側壁部６，６は、その上端から係合片１０Ａ，１０Ｂ，１０Ｃ，１０Ｄが延出して設けられている。係合片１０Ａ，１０Ｂ，１０Ｃ，１０Ｄは、それぞれ前後の側壁部５，５及び左右の側壁部６，６の内面上端にその一方端部が縫い付けられて固定されており、図４に示されるように、比較的強度の高い端部近傍を起点として箱体２の内側方向に折れ曲がるようになっており、係合片１０Ａ，１０Ｂ，１０Ｃ，１０Ｄの厚み及び変形強度により、折れ曲がった部分が前後の側壁部５，５及び左右の側壁部６，６に対してそれぞれ略直角即ち箱体２の底面４と略平行となる位置で安定するようになっている。
【００１６】
また、図３に示されるように、分割された係合片１０Ａ，１０Ｂ，１０Ｃ，１０Ｄを箱体２の外側に折り返す等することで箱体２の開口を広げることができ、荷の出し入れを容易に行うことができるようになっている。
【００１７】
係合片１０Ａ，１０Ｂ，１０Ｃ，１０Ｄは、箱体２の内側方向に折れ曲がった状態における上面に面ファスナー１１Ａ，１１Ｂ，１１Ｃ，１１Ｄをそれぞれ備えている。図５に示されるように、蓋体３の底面には、箱体側の面ファスナー１１Ａ，１１Ｂ，１１Ｃ，１１Ｄと係合する面ファスナー１２Ａ，１２Ｂ，１２Ｃ，１２Ｄが設けられている。係合片１０Ａ，１０Ｂ，１０Ｃ，１０Ｄは、箱体２の内側方向に折れ曲がった状態において、それぞれ隣接する係合片と箱体２の４隅で一部重合するようになっている。
【００１８】
また、図４に示されるように、係合片１０Ａ，１０Ｂ，１０Ｃ，１０Ｄは長辺側の係合片１０Ａ，１０Ｂが短辺側の係合片１０Ｃ，１０Ｄの上に位置するように４隅が重ねられているため、短辺側の係合片１０Ｃ，１０Ｄに長辺側の係合片１０Ａ，１０Ｂが支持されることになり、係合片１０Ａ，１０Ｂが箱体２の内側方向に折れ曲がった状態、即ち面ファスナー１１Ａ，１１Ｂがそれぞれ上面を向く状態に維持できるように補助されている。
【００１９】
また、保冷箱１は、箱体２の開口部７が蓋体３により閉塞された状態で、図１に示されるように、オリコンＣの上部開口部より蓋体３が下方に位置するような高さ寸法となっている。
【００２０】
蓋体３は、箱体２と同様に４辺の縁部に布体８が縫い付けてあり、板状に形状が安定するようになっている。蓋体３の長辺に位置する布体８Ａ，８Ｂには、開口部７の開放作業時に使用される把持部１５Ａ，１５Ｂがそれぞれ取付けられている。
【００２１】
続いて、保冷箱１の利用態様を図６から図９を用いて説明する。尚、図６から図９は説明のためオリコンＣを省略している。図６（ａ）に示されるように、箱体２の開口部７を開放する際には、蓋体３の一方の把持部（ここでは長辺側の把持部１５Ａとする）を持って蓋体３の短手方向に開放する。このとき、蓋体３の長辺側の面ファスナー１２Ａ（図示略）と、この長辺側の面ファスナー１２Ａと係合する箱体２側の面ファスナー１１Ａとが、把持部１５Ａ近傍、即ち蓋体３及び箱体２の長辺の中央部を起点として漸次離脱される。
【００２２】
図６（ｂ）に示されるように、蓋体３及び箱体２の長辺の蓋体３側の面ファスナー１２Ａと箱体２側の面ファスナー１１Ａとの離脱が完了すると同時に、この長辺に隣接し角部で重合する蓋体３の短辺側の面ファスナー１２Ｃ，１２Ｄと箱体２側の面ファスナー１１Ｃ，１１Ｄとの係脱が始まる。そして、継続的に蓋体３の長辺側の把持部１５Ａを持って開放作業を行うことで、蓋体３の短辺側の面ファスナー１２Ｃと箱体２側の面ファスナー１１Ｃと、蓋体３の短辺側の面ファスナー１２Ｄと箱体２側の面ファスナー１１Ｄとが同時に離脱されることになる。
【００２３】
また、把持部１５Ａまたは１５Ｂを使用せずに、蓋体３の４隅のうち１つの角部から開口部７の開放を行うこともでき、この場合は図７に例示するように、蓋体３の短辺側の面ファスナー１２Ｃ（図示略）と箱体２側の面ファスナー１１Ｃと、蓋体３の長辺側の面ファスナー１２Ａ（図示略）と箱体２側の面ファスナー１１Ａとが一度に離脱されることになる。
【００２４】
このように、蓋体３側の面ファスナー１２Ａ，１２Ｂ，１２Ｃ，１２Ｄと箱体２側の面ファスナー１１Ａ，１１Ｂ，１１Ｃ，１１Ｄとが同一面上に形成されていることから、いずれの方向からでもこれらを係脱させて開口部７を開放することができることに加え、いずれの方向から開口部７を開放させる場合でも、複数の辺の面ファスナー同士が同時に係脱されることになるため、迅速に開口部７の開放作業を行うことができるようになっている。
【００２５】
また、蓋体３側の面ファスナー１２Ａ，１２Ｂ，１２Ｃ，１２Ｄと箱体２側の面ファスナー１１Ａ，１１Ｂ，１１Ｃ，１１Ｄとが同一面上に形成されていることから、例えば蓋体３の短辺側の面ファスナー１２Ｃ，１２Ｄと箱体２側の面ファスナー１１Ｃ，１１Ｄとの係脱を調整することで開口部７を必要な分だけ開放することができ、保冷箱１内に収容された物品の確認作業並びに品出し作業を迅速に行うことができる。
【００２６】
また、面ファスナー１１Ａ，１１Ｂ，１１Ｃ，１１Ｄが箱体２の上面に設けられていることから、オリコンＣから内装された保冷箱１を取り出すことなく、即ちオリコンＣの前後左右の側壁に阻害されずに蓋体３の係脱を行え、迅速に開口部７の開放を行うことができる。
【００２７】
また、図２及び図８に示されるように、蓋体３に対向する２辺に渡り折部２０が形成されており、この折部２０で蓋体３を折り曲げられるようになっている。折部２０は、線状の縫い目により局所的に断熱素材の厚みが薄くなることにより形成されている。尚、折部２０は、蓋体３の折り曲げを誘発するものであれば、上記構成に限らず、例えば２枚の断熱素材を縫い合わせる等して形成されていてもよい。また、折部２０は対向する２辺に渡り形成される構成に限らず、対角の角部等に渡り斜め方向に形成されていてもよい。
【００２８】
また、図２に示されるように、蓋体３の上面には、折部２０を挟んで面ファスナーである係合部２１，２１と被係合部２２，２２とが設けられ、蓋体３を折り曲げ、その上面同士が当接した際に係合部２１，２１と被係合部２２，２２とが係合するようになっており、これにより蓋体３を折り曲げて開口部７を一部開放させた状態を維持できるようになっている。
【００２９】
また、係合片１０Ａ，１０Ｂ，１０Ｃ，１０Ｄはそれぞれ前後の側壁部５，５及び左右の側壁部６，６の上端に分かれて設けられているため、図９に示されるように、開口部７の開放時に、例えば蓋体３の長辺側の面ファスナー１２Ｂを箱体２の一方の長辺の係合片１０Ｂの面ファスナー１１Ｂ（図示略）に係合した状態に保持させておくことができ、再度開口部７を閉塞する際に蓋体３側の面ファスナーと箱体側の面ファスナー同士を位置合わせし易くなっている。
【００３０】
図１０（ａ）に示されるように、箱体２における前後の側壁部５，５の外面には、長手方向に渡り縫い目により折部３０が形成され、この折部３０で前後の側壁部５，５を折り曲げられるようになっており、図１０（ｂ）のように保冷箱１を上下方向に折り畳み可能となっている。また、箱体２における左右の側壁部６，６の外面には、その中央下部に面ファスナーである固定ベルト３１，３１がそれぞれ設けられている。これら固定ベルト３１，３１は、図１０（ｂ）に示されるように、箱体２を折り畳んだ状態で蓋体３上面の短辺略中央にそれぞれ設けられた面ファスナーである被固定部３２，３２に係合可能となっている。尚、箱体２における左右の側壁部６，６の外面には、箱体２の使用状態、即ち折り畳んでいない状態において固定ベルト３１，３１を保持する面ファスナー３３，３３が設けられている。
【００３１】
また、上下方向に折畳まれる構造であるため、箱体２を折り畳んだ際に、係合片１０Ａ，１０Ｂ，１０Ｃ，１０Ｄへの影響がなく、面ファスナー１１Ａ，１１Ｂ，１１Ｃ，１１Ｄを常に上面を向く形状に維持できるようになっている。
【００３２】
以上、本発明の実施例を図面により説明してきたが、具体的な構成はこれら実施例に限られるものではなく、本発明の要旨を逸脱しない範囲における変更や追加があっても本発明に含まれる。
【００３３】
例えば、前記実施例では、蓋体３の面ファスナー１２Ａ，１２Ｂ，１２Ｃ，１２Ｄは、蓋体３の下面の４辺縁部にそれぞれ設けられて説明されているが、これに限らず、例えば、蓋体３の下面全面に渡って面ファスナーが設けられていてもよい。
【００３４】
また、箱体２に設けられた係合片１０Ａ，１０Ｂ，１０Ｃ，１０Ｄは、４辺に分割されて設けられているが、これに限らず、例えば、これらが一体に形成されていてもよい。
【００３５】
また、蓋体３の上面の係合部２１，２１及び被係合部２２，２２、並びに箱体２における左右の側壁部６，６の外面の固定ベルト３１，３１及び蓋体３の上面の被固定部３２，３２は、着脱可能な構成であれば面ファスナーに限らず、例えば、スナップボタン等であってもよい。
【００３６】
また、前述した実施例において、蓋体３の上面の係合部２１，２１及び被係合部２２，２２は、蓋体３がその上面同士が当接するまで折り曲がった状態で係合する構成となっているが、これに限らず、例えば、蓋体３の折り曲げられた部分が倒立した状態で係合する構成としてもよい。これによれば、保冷箱１内の温度上昇を極力抑えた状態で確認作業並びに品出し作業を行うことができる。
【符号の説明】
【００３７】
１                保冷箱
２                箱体
３                蓋体
４                底部
５，５            側壁部
６，６            側壁部
７                開口部
８                布体
８Ａ，８Ｂ        布体
１０Ａ〜１０Ｄ    係合片
１１Ａ〜１１Ｄ    箱体側の面ファスナー
１２Ａ〜１２Ｄ    蓋体側の面ファスナー
１５Ａ，１５Ｂ    把持部
２０              折部
２１，２１        係合部
２２，２２        被係合部
３０              折部
３１，３１        固定ベルト
３２，３２        被固定部
３３，３３        面ファスナー
Ｃ                折り畳みコンテナ
【図１】
0006588740.tif 000002
【図２】
0006588740.tif 000003
【図３】
0006588740.tif 000004
【図４】
0006588740.tif 000005
【図５】
0006588740.tif 000006
【図６】
0006588740.tif 000007
【図７】
0006588740.tif 000008
【図８】
0006588740.tif 000009
【図９】
0006588740.tif 000010
【図１０】
0006588740.tif 000011